(57)【要約】【課題】容易かつ確実にフロントカバーを着脱することができる電気機器を提供する。【解決手段】コントローラ１は、上端及び下端を有するリアカバー２０と、上壁部３１及び下壁部３３を有し、リアカバー２０を覆うフロントカバー３０と、上壁部３１に設けられ、リアカバー２０の上端に引っ掛け可能なフック部３２Ｒ、３２Ｌと、リアカバー２０の下端に設けられ、下壁部３３に係止する弾性変形可能な係止片２２Ｒ、２２Ｌと、リアカバー２０からフロントカバー３０側へ突出し、第一貫通孔２５が形成された突出片２３と、第一貫通孔２５及び、下壁部３３に第一貫通孔２５と同軸に形成された第二貫通孔３５に挿通されて下壁部３３を突出片２３に留めるピン４０Ａと、を備える。【選択図】図２
2018078176.tif 000002
【特許請求の範囲】
【請求項１】
第一端部及び該第一端部と上下に対向する第二端部を有するリアカバーと、
第一壁部及び該第一壁部と対向する第二壁部を有し、前記リアカバーを覆うフロントカバーと、
前記第一壁部に設けられ、前記第一端部に引っ掛け可能なフック部と、
前記第二端部に設けられ、前記第二壁部に係止する又は、前記第二壁部に設けられ、前記第二端部に係止する、弾性変形可能な係止部と、
前記リアカバーから前記フロントカバー側へ突出し、第一貫通孔が形成された突出部と、
前記第一貫通孔と、前記第一壁部又は前記第二壁部に前記第一貫通孔と同軸に形成された第二貫通孔と、に挿通されて、前記第一壁部又は前記第二壁部を前記突出部に留めるピンと、
を備える、
電気機器。
【請求項２】
前記係止部は、前記第二壁部の、前記第一壁部側に位置する内壁に形成された凹部に係止する、
請求項１に記載の電気機器。
【請求項３】
前記ピンの前記突出部側の先端部は、外径が前記第一貫通孔の内径よりも大きく、弾性変形可能である、
請求項１又は２に記載の電気機器。
【請求項４】
前記ピンは、前記先端部から前記ピンの中央側へ延在するピンスリットと、前記先端部から前記中央側へ延在する中空部と、を有する、
請求項３に記載の電気機器。
【請求項５】
前記ピンの前記先端部は、前記中空部と連続する孔を有し、外径が前記ピンの中央よりも大きいドーナツ形に形成された、
請求項４に記載の電気機器。
【請求項６】
前記ピンの前記突出部側の先端部は、前記ピンの軸部から延在する鈎部を有し、
前記第一貫通孔は、前記軸部が挿通可能な第一貫通部と、前記鈎部が通過可能な第一スリットと、を有し、
前記第二貫通孔は、前記第一貫通部と同軸に形成され、前記軸部が挿通可能な第二貫通部と、前記鈎部が通過可能な第二スリットと、を有する、
請求項１から５のいずれか１項に記載の電気機器。
【請求項７】
前記第一スリットは、前記第一貫通部と前記第二貫通部との軸に対して一定の方向へ延在し、
前記第二スリットは、前記第一貫通部と前記第二貫通部との軸から、前記第一スリットが延在する方向と異なる方向へ延在する、
請求項６に記載の電気機器。
【請求項８】
前記ピンの基部には、前記鈎部が前記ピンに直交する方向を示す鈎目印が形成され、
前記第二貫通孔が前記第一壁部に形成された場合には、前記第一壁部が、前記第二スリットが前記第二貫通部に対して延在する方向を示すスリット目印を有し、前記第二貫通孔が前記第二壁部に形成された場合には、前記第二壁部が、前記スリット目印を有する、
請求項６又は７に記載の電気機器。
【請求項９】
前記ピンの前記突出部側の先端部は、短径が前記軸部の外径と同じで、長径が前記軸部の外径よりも大きい楕円状の横断面を有し、
前記第一貫通孔は、横断面が楕円状に形成され、前記ピンの前記突出部側の先端部が挿入可能であり、
前記第二貫通孔は、横断面が楕円状に形成され、前記ピンの前記突出部側の先端部が挿入可能である、
請求項８に記載の電気機器。
【請求項１０】
前記第二壁部の端面と、前記リアカバーとの間に隙間が形成された、
請求項１から９のいずれか１項に記載の電気機器。
【請求項１１】
前記第二壁部の端面に面取り部を有する、
請求項１０に記載の電気機器。
【請求項１２】
前記ピンは、前記突出部側に対して反対側の基部に前記ピンを把持するための把持部が形成され、
前記第二貫通孔が前記第一壁部に形成された場合には、前記第一壁部の前記第二貫通孔の近傍に、前記把持部との間に隙間を形成する凹みが形成され、前記第二貫通孔が前記第二壁部に形成された場合には、前記第二壁部の前記第二貫通孔の近傍に、前記凹みが形成された、
請求項１から１１のいずれか１項に記載の電気機器。
【請求項１３】
前記凹みは、前記把持部のフロント側の周縁に形成された、
請求項１２に記載の電気機器。
【請求項１４】
前記フロントカバーは、上又は下に延在して前記ピンの基部を遮蔽する遮蔽壁部を有する、
請求項１から１３のいずれか１項に記載の電気機器。
【請求項１５】
前記第二貫通孔は、前記第一端部が人の眼の高さよりも上又は下となる位置に前記リアカバーが固定される場合、前記第一壁部に形成され、前記第二端部が人の眼の高さよりも上又は下となる位置に前記リアカバーが固定される場合、前記第二壁部に形成された、
請求項１から１４のいずれか１項に記載の電気機器。
【発明の詳細な説明】
【技術分野】
【０００１】
本発明は電気機器に関する。
【背景技術】
【０００２】
電気機器には、修理、メンテナンス等のため、着脱可能なカバーを備えるものがある。
【０００３】
例えば、特許文献１には、本体と対向する２つのサイドフレームを有するリアケースとサイドフレームそれぞれを覆う側壁とを有し、リアケースに着脱可能な額縁状のフロントカバーを備えるディスプレイ装置が開示されている。
【０００４】
特許文献１に記載のディスプレイ装置では、フロントカバーの一方の側壁に、一方のサイドフレームに形成された貫通孔へ引っ掛けることができるフックが設けられている。そして、フロントカバーの他方の側壁に、他方のサイドフレームに形成されたネジ孔にネジを挿入するための取り付け孔が形成されている。特許文献１に記載のディスプレイ装置では、工具を使用してネジをネジ孔に螺合して、リアケースをフロントカバーに固定している。
【０００５】
特許文献２には、底と対向する２つの側壁とを有するリアケースと、弾性変形可能な前面板と、リアケースの側壁それぞれの外面を覆う２つの側板と、前面板に設けられ、リアケースの側壁の内面それぞれに形成された係合凹部にリアケースの内側から係合する２つの係合爪を有するフロントカバーと、を備える空調機器の運転状態を設定する設定器が開示されている。特許文献１に記載の設定器では、前面板に力を加えて前面板を屈曲させ、係合爪と係合爪との間隔が狭まった状態にし、その状態で、２つの係合爪を側壁それぞれに形成された係合凹部に係合させるか、又は２つの係合爪を係合凹部から外すことにより、フロントカバーを着脱する。
【先行技術文献】
【特許文献】
【０００６】
【特許文献１】特開２００２−３１８５５０号公報
【特許文献２】特開平１１−８４７６号公報
【発明の概要】
【発明が解決しようとする課題】
【０００７】
特許文献１に記載のディスプレイ装置では、ネジでリアケースにフロントカバーを固定するため、フロントカバーの着脱に工具が必要となり、フロントカバーの着脱が容易でない。
【０００８】
特許文献２に記載の設定器では、フロントカバーの着脱において、前面板に力を加えて前面板を屈曲させる必要がある。このため、フロントカバーの着脱が容易でなく、フロントカバーを確実に取り付けることができないことがある。例えば、前面板に加える力が弱い場合、フロントカバーの着脱ができない。また、フロントカバーの取り付け時に、係合爪を係合凹部に係合できず、フロントカバーを確実に固定することができない。前面板に加える力が強い場合、前面板が破損したり塑性変形したりする。前面板が塑性変形した場合には、フロントカバーを確実に固定することができない。
【０００９】
本発明は上記の課題を解決するためになされたもので、容易かつ確実にフロントカバーを着脱することができる電気機器を提供することを目的とする。
【課題を解決するための手段】
【００１０】
上記の目的を達成するため、本発明に係る電気機器は、第一端部及び第一端部と上下に対向する第二端部を有するリアカバーと、第一壁部及び第一壁部と対向する第二壁部を有し、リアカバーを覆うフロントカバーと、第一壁部に設けられたフック部と、第二端部又は第二壁部に設けられた係止部と、リアカバーからフロントカバー側へ突出し、第一貫通孔が形成された突出部と、を備える。フック部は、第一端部に引っ掛け可能である。また、係止部は、第二端部に設けられた場合、第二壁部に係止し、又は、第二壁部に設けられた場合、第二端部に係止する。そして、係止部は、弾性変形可能である。電気機器は、第一貫通孔と、第一壁部又は第二壁部に第一貫通孔と同軸に形成された第二貫通孔と、に挿通されて、第一壁部又は第二壁部を突出部に留めるピンをさらに備える。
【発明の効果】
【００１１】
本発明の構成によれば、フック部を第一端部に引っ掛け、係止部を、係止部が第二端部に設けられた場合、第二壁部に係止させ、又は、係止部が第二壁部に設けられた場合、第二端部に係止させることで、フロントカバーをリアカバーに取り付けることができる。また、突出部に形成された第一貫通孔と、第一壁部又は第二壁部に形成された第二貫通孔と、にピンを挿通することで、フロントカバーをリアカバーに固定することができる。さらに、第一貫通孔と第二貫通孔とからピンを抜き、係止部を弾性変形させて第二壁部又は第二端部から外すと共に、フック部を第一端部から外すことで、フロントカバーをリアカバーから取り外すことができる。従って、本発明によれば、容易かつ確実にフロントカバーを着脱することができる。
【図面の簡単な説明】
【００１２】
【図１】本発明の実施の形態１に係るコントローラの正面側斜視図
【図２】（Ａ）コントローラの部品構成図、（Ｂ）図２（Ａ）のIIB部の拡大図、（Ｃ）図２（Ａ）のIIC部の拡大図
【図３】コントローラのリアカバーが壁に固定され、そのリアカバーにフロントカバーが取り付けられた状態におけるリアカバーのフック用凹部及びフロントカバーのフック部の断面図
【図４】リアカバーにフロントカバーが取り付けられた状態におけるリアカバーの係止片及びフロントカバーの係止用凹部の断面図
【図５】リアカバーにフロントカバーが取り付けられた状態におけるフロントカバーの下壁部及びピンの断面図
【図６】フロントカバーのフック部がリアカバーのフック用凹部に引っ掛けられた状態におけるフック用凹部及びフック部の断面図
【図７】フロントカバーの下壁部がリアカバーの係止片に押し当てられた状態における係止片及び係止用凹部の断面図
【図８】フロントカバーの第二貫通孔にピンの軸部が挿入された状態における下壁部及びピンの断面図
【図９】本発明の実施の形態２に係るコントローラの部品構成図
【図１０】（Ａ）ピンの取り付け工程において、ピン係止部がフロントカバーの第二貫通孔に挿入された状態における下壁部及びピンの断面図、（Ｂ）ピン係止部がリアカバーの第一貫通孔の開口に位置する状態における下壁部及びピンの断面図、（Ｃ）ピン係止部が第一貫通孔を通過し、軸部が第一貫通孔に挿通された状態における下壁部及びピンの断面図、（Ｄ）ピンの取り外し工程において、ピン係止部が第一貫通孔から引き抜かれた状態における下壁部及びピンの断面図
【図１１】本発明の実施の形態３に係るコントローラの部品構成図
【図１２】（Ａ）ピンの取り付け工程において、ピンが第二貫通孔と第二スリットとに挿入されるときの鈎目印とスリット目印との位置関係を示す底面図、（Ｂ）ピンが第一貫通孔と第一スリットとに挿入されるときの鈎目印とスリット目印との位置関係を示す底面図
【図１３】（Ａ）図１２（Ａ）に示すXIIIA切断線の断面図、（Ｂ）図１２（Ｂ）に示すXIIIB切断線の断面図、（Ｃ）ピンの取り付け工程において、ピンの鈎部がリアカバーの第一スリットを通過した状態における下壁部及びピンの断面図、（Ｄ）ピンの鈎部がリアカバーの第一スリットを通過した後、円板部を回転させて軸部に対する鈎部の向きが変化した状態における下壁部及びピンの断面図
【図１４】本発明の実施の形態４に係るコントローラの部品構成図
【図１５】本発明の実施の形態５に係るコントローラの下部の断面図
【図１６】上壁部の変形例を示す斜視図
【図１７】（Ａ）凹みの変形例を示す底面図、（Ｂ）凹みの変形例を示す断面図
【図１８】下壁部の変形例を示す断面図
【図１９】係止片の変形例を示す断面図
【図２０】係止片の変形例を示す断面図
【図２１】突出片の変形例を示す断面図
【発明を実施するための形態】
【００１３】
以下、本発明の実施の形態に係る電気機器について図面を参照して詳細に説明する。なお、図中、同一又は同等の部分には同一の符号を付す。図に示す直交座標系ＸＹＺにおいて、電気機器のフロントカバーを正面とした場合の、左右方向がＸ軸方向、上下方向がＺ軸方向、Ｘ軸とＺ軸とに直交する方向がＹ軸方向である。以下、適宜、この座標系を引用して説明する。
【００１４】
（実施の形態１）
実施の形態１に係る電気機器は、リアカバーに着脱可能なフロントカバーを備えるコントローラである。以下に図１−図８を参照して、このコントローラの構成を説明する。
【００１５】
図１は本発明の実施の形態１に係るコントローラの正面側斜視図である。図２（Ａ）はコントローラの部品構成図である。図２（Ｂ）は図２（Ａ）のIIB部の拡大図である。図２（Ｃ）は図２（Ａ）のIIC部の拡大図である。なお、図２（Ａ）では、理解を容易にするため、コントローラの内部に設けられた電気部品は省略している。
図１に示すように、コントローラ１は、建築物の壁５００に固定された壁掛けタイプのコントローラである。コントローラ１は、コントローラ１から離れた箇所に設置された電気機器を制御する。
【００１６】
コントローラ１は、他の電気機器における電源のオン、オフ状態、動作状態等を示すためのディスプレイ１０、図示しない発光ダイオード、他の電気機器を操作するための操作ボタン、環境（温度、湿度等）を計測するセンサー、これらの電気部品を支持するプリント配線基板、他の電気機器からの配線とプリント配線基板とを接続するコネクタ及び、メモリー媒体等の電気部品を備えている。
【００１７】
図２（Ａ）に示すように、コントローラ１は、これらの電気部品を収容するため、矩形板状のリアカバー２０と、リアカバー２０を覆うため、リアカバー２０側が開放された箱状のフロントカバー３０と、を備えている。ここで、フロントカバー３０におけるリアカバー２０側は、＋Ｘ側である。リアカバー２０は、コントローラ１が壁に掛けた状態で使用されるため、壁５００にネジ６００Ａ−６００Ｄで固定される。そして、これらの電気部品を交換したり修理したりするため、フロントカバー３０は、リアカバー２０に着脱可能に設けられている。
【００１８】
リアカバー２０には、フロントカバー３０を着脱可能にするため、＋Ｚ端に形成されたフック用凹部２１Ｒ、２１Ｌと、−Ｚ端に形成された係止片２２Ｒ、２２Ｌと突出片２３と、が設けられている。
【００１９】
フック用凹部２１Ｒ、２１Ｌは、リアカバー２０の板の一部が−Ｘ側に屈曲することで形成されている。詳細には、フック用凹部２１Ｒ、２１Ｌは、フック部３２Ｒ、３２Ｌが引っ掛かるようにするため、−Ｘ側にくぼみ、フック用凹部２１Ｒ、２１Ｌの底がリアカバー２０の＋Ｚ端に露出した形状に形成されている。そして、壁５００との間に、フック部３２Ｒ、３２Ｌが挿入される空間を形成している。
【００２０】
これに対して、係止片２２Ｒ、２２Ｌは、矩形板状に形成され、リアカバー２０から−Ｘ側に延在している。そして、その板がＸＹ平面に平行に向けられている。係止片２２Ｒ、２２Ｌの−Ｚ側には、下壁部３３の係止用凹部３４Ｒ、３４Ｌに係止するための図２（Ｂ）に示す係止用凸部２４Ｒ、２４Ｌが形成されている。また、係止片２２Ｒ、２２Ｌの−Ｘ端は、−Ｚ側に向かうに従って＋Ｘ側に傾斜している。
【００２１】
係止片２２Ｒ、２２Ｌは、係止用凸部２４Ｒ、２４Ｌをフロントカバー３０の後述する係止用凹部３４Ｒ、３４Ｌに係止させるため、弾性変形する材料で形成されている。そして、係止片２２Ｒ、２２Ｌは、矩形板状であるため、Ｚ方向に弾性変形可能である。
なお、係止用凸部２４Ｒ、２４Ｌと係止用凹部３４Ｒ、３４Ｌとは、いずれか一方が係止部、他方が被係止部である。以下、係止用凸部２４Ｒ、２４Ｌが係止部、係止用凹部３４Ｒ、３４Ｌが被係止部であるとして説明する。
【００２２】
図２（Ａ）に戻って、突出片２３は、係止片２２Ｒと２２Ｌとの間に配置されている。突出片２３は、矩形板状に形成され、フロントカバー３０の後述する下壁部３３と重ね合わされるようにするため、リアカバー２０から−Ｘ側かつＸＹ平面に平行に延在している。突出片２３の中央には、突出片２３と下壁部３３とを互いに固定するための、後述するピン４０Ａが取り付けられる第一貫通孔２５が形成されている。第一貫通孔２５の内径は、ピン４０Ａの後述する軸部４１Ａの外径と同じである。
【００２３】
一方、フロントカバー３０は、ＸＹ平面に平行かつ矩形状に形成され、リアカバー２０の＋Ｚ端を覆う上壁部３１と、ＸＹ平面に平行かつ上壁部３１と同形の矩形に形成され、リアカバー２０の−Ｚ端を覆う下壁部３３と、を有している。そして、フロントカバー３０には、リアカバー２０に着脱可能にするため、上壁部３１の＋Ｘ端に形成されたフック部３２Ｒ、３２Ｌと、下壁部３３の内面側、すなわち、＋Ｚ側に形成された係止用凹部３４Ｒ、３４Ｌと、が設けられている。下壁部３３と突出片２３とは、ピン４０Ａによって互いに固定される。
【００２４】
フック部３２Ｒ、３２Ｌは、フック用凹部２１Ｒ、２１Ｌに引っ掛けることができるようにするため、Ｘ方向視矩形状のフック用凹部２１Ｒ、２１Ｌよりも小さい矩形の板状に形成されている。そして、フック部３２Ｒ、３２Ｌは、上壁部３１に垂直に交わるよう、ＹＺ平面に平行に配設されている。そして、フック部３２Ｒと３２Ｌは、フック用凹部２１Ｒから２１ＬまでのＹ方向の距離と同じ距離だけ隔てられている。
【００２５】
これに対して、係止用凹部３４Ｒ、３４Ｌは、係止用凸部２４Ｒ、２４Ｌが嵌合可能な形状、大きさの凹みに形成されている。そして、係止用凹部３４Ｒと３４Ｌは、フロントカバー３０がリアカバー２０に取り付けられたときに、係止用凸部２４Ｒと２４Ｌに、Ｚ方向に重なり合う位置に形成されている。
【００２６】
係止用凹部３４Ｒ、３４Ｌの＋Ｘ側には、フロントカバー３０をリアカバー２０から取り外すときに、マイナスドライバーや爪等を差し込むための、下壁部３３の＋Ｘ端を切り欠いた切り欠き部３６Ｒ、３６Ｌが形成されている。なお、図２（Ａ）には示さず、後述する図４に示すが、切り欠き部３６Ｒ、３６Ｌには、フロントカバー３０を取り付けるときに係止片２２Ｒ、２２Ｌを係止用凹部３４Ｒ、３４Ｌへ案内する面取り部３３０が形成されている。そして、係止用凹部３４Ｒと３４Ｌとの間には、第二貫通孔３５が形成されている。
【００２７】
第二貫通孔３５は、ピン４０Ａを取り付けるため、ピン４０Ａの軸部４１Ａの後述する−Ｚ端の外径と同径に形成されている。そして、第二貫通孔３５は、ピン４０Ａが第二貫通孔３５と第一貫通孔２５とに挿通できるようにするため、第一貫通孔２５と同軸である。
また、第二貫通孔３５には、ピン４０Ａを取り外すときに、マイナスドライバーを差し込むための、矩形状に形成された凹み３５０が隣接している。凹み３５０は、幅がマイナスドライバーの先端よりも大きい。また、凹み３５０は、−Ｘ側からマイナスドライバーを差し込めるようにするため、第二貫通孔３５から−Ｘ方向へ延在している。
【００２８】
ピン４０Ａは、図２（Ｃ）に示すように、第一貫通孔２５及び第二貫通孔３５に挿通するための、円柱状に形成された軸部４１Ａと、把持部として軸部４１Ａの−Ｚ端に設けられた円板部４２Ａと、を有する形状に形成されている。ピン４０Ａは、いわゆるリベット状である。
【００２９】
軸部４１Ａの−Ｚ端は、第一貫通孔２５及び第二貫通孔３５に挿入できるよう、第一貫通孔２５及び第二貫通孔３５と同径に形成されている。一方、軸部４１Ａの＋Ｚ端は、ピン４０Ａが第一貫通孔２５及び第二貫通孔３５に挿入された後にこれらの孔から脱落しないようにするため、第一貫通孔２５及び第二貫通孔３５よりも太い径に形成されている。すなわち、軸部４１Ａは、Ｚ方向中央から＋Ｚ側に向かうに従って軸部４１Ａの外径が太くなっている。
【００３０】
軸部４１Ａは、第一貫通孔２５及び第二貫通孔３５に挿入可能な径を有する形状に変形できるように、Ｚ方向中央から＋Ｚ端まで延在し、＋Ｚ端が開口した中空部４１０Ａを有している。また、軸部４１Ａは、＋Ｚ端からＺ方向中央まで延在するピンスリット４１１Ａを有し、ピンスリット４１１Ａは、中空部４１０Ａとつながっている。そして、軸部４１Ａは、弾性変形する材料で形成されている。
【００３１】
次に、図３−図５を用いて、フロントカバー３０がリアカバー２０に取り付けられた状態における各構成を説明する。
図３はコントローラ１のリアカバー２０が壁５００に固定され、リアカバー２０にフロントカバー３０が取り付けられた状態におけるリアカバー２０のフック用凹部２１Ｌ及びフロントカバー３０のフック部３２Ｌの断面図である。図４はリアカバー２０にフロントカバー３０が取り付けられた状態におけるリアカバー２０の係止片２４Ｌ及びフロントカバー３０の係止用凹部３４Ｌの断面図である。図５はリアカバー２０にフロントカバー３０が取り付けられた状態における、フロントカバー３０の下壁部３３及びピン４０Ａの断面図である。
【００３２】
フロントカバー３０とリアカバー２０の＋Ｚ端側では、図３に示すように、フック用凹部２１Ｌに、フック部３２Ｌが引っ掛けられ、フロントカバー３０がリアカバー２０に掛けられている。なお、図示しないが、フック用凹部２１Ｒにも、フック部３２Ｒが引っ掛けられる。
【００３３】
一方、フロントカバー３０とリアカバー２０の−Ｚ端側では、図４に示すように、係止用凸部２４Ｌが係止用凹部３４Ｌに係止して、フロントカバー３０がリアカバー２０に固定されている。なお、図示しないが、係止用凸部２４Ｒが係止用凹部３４Ｒに係止する。フロントカバー３０の下壁部３３では、切り欠き部３６Ｌが壁５００との間に、フロントカバー３０をリアカバー２０から取り外すときに、マイナスドライバーや爪を差し込むための隙間Ｓ１を形成している。
【００３４】
第一貫通孔２５と第二貫通孔３５には、図５に示すように、ピン４０Ａの軸部４１Ａが挿通されている。そして、ピン４０Ａによってフロントカバー３０がリアカバー２０に留められている。ピン４０Ａの軸部４１Ａの＋Ｚ端は第一貫通孔２５及び第二貫通孔３５の径よりも太く、ピン４０Ａの脱落、紛失が防止されている。
【００３５】
次に、図６−図８を参照してフロントカバー３０のリアカバー２０への取り付け方法について説明する。以下の説明では、リアカバー２０がネジ６００Ａ−６００Ｄでコントローラ１の設置箇所に固定されていることを前提とする。コントローラ１の設置箇所は、例えば、壁５００、壁５００に設置されたスイッチボックスである。
【００３６】
図６はフロントカバー３０のフック部３２Ｌがリアカバー２０のフック用凹部２１Ｌに引っ掛けられた状態におけるフック用凹部２１Ｌ及びフック部３２Ｌの断面図である。図７はフロントカバー３０の下壁部３３がリアカバー２０の係止片２４Ｌに押し当てられた状態における係止片２４Ｌ及び係止用凹部３４Ｌの断面図である。図８はフロントカバー３０の第二貫通孔３５にピン４０Ａの軸部４１Ａが挿入された状態における下壁部３３及びピン４０Ａの断面図である。なお、図６−図８は、図３−図５と同じ断面を示している。
まず、＋Ｚ側からフロントカバー３０をリアカバー２０に被せる。このとき、図６に示すように、フロントカバー３０の上壁部３１を下壁部３３よりも＋Ｘ側に傾けながら、フロントカバー３０のフック部３２Ｌを、壁５００とフック用凹部２１Ｌとのポケット状の隙間に差し込んで引っ掛ける。図示しないフック部３２Ｒも同様に壁５００とフック用凹部２１Ｒとのポケット状の隙間に差し込んで引っ掛ける。
【００３７】
続いて、フック部３２Ｌを中心にして、フロントカバー３０の下壁部３３側を＋Ｘ側へ回転させる。そして、図７に示すように、フロントカバー３０の下壁部３３の＋Ｘ端で、リアカバー２０の係止片２２Ｌを＋Ｚ側へ押し上げる。下壁部３３を係止片２２Ｌの−Ｚ側へ配置し、下壁部３３の切り欠き部３６Ｌを、係止片２２Ｌの−Ｘ側に配置する。このとき、係止片２２Ｌの−Ｘ端と切り欠き部３６Ｌの面取り部３３０とが−Ｘ側に向かうに従って＋Ｚ方向に傾斜しているため、係止片２２Ｌの−Ｘ端は、面取り部３３０に沿って＋Ｚ側へ押し上げられる。その結果、係止片２２Ｌが＋Ｚ側へ弾性変形する。この状態のまま、下壁部３３を＋Ｘ側へ移動させ、下壁部３３の係止用凹部３４Ｌに係止片２２Ｌの係止用凸部２４Ｌを係止させる。係止片２２Ｌは復元力で−Ｘ方向へ延在した状態に戻り、下壁部３３に当接する。図示しない係止片２２Ｒも同様にして、係止用凸部２４Ｒを係止用凹部３４Ｒに係止させる。以上の工程で、フロントカバー３０がリアカバー２０に取り付けられる。
【００３８】
次に、フロントカバー３０がリアカバー２０から外れないようにするため、ピン４０Ａの軸部４１Ａを、下壁部３３の第二貫通孔３５と突出片２３の第一貫通孔２５とに挿入する。
詳細には、ピン４０Ａの円板部４２Ａを把持して、軸部４１Ａの＋Ｚ端を下壁部３３の−Ｚ側から第二貫通孔３５に押し込む。これにより、図８に示すように、軸部４１Ａの＋Ｚ端を弾性変形させる。そして、軸部４１Ａを第二貫通孔３５に挿入する。続いて、円板部４２Ａをさらに＋Ｚ側へ移動させて、軸部４１Ａを第一貫通孔２５に挿入する。軸部４１Ａの＋Ｚ端が第一貫通孔２５を通過すると、軸部４１Ａの＋Ｚ端は、弾性変形した状態から復元力によって元の状態に戻る。その結果、軸部４１Ａが第一貫通孔２５の＋Ｚ側の
開口に係止し、フロントカバー３０がリアカバー２０に固定される。
【００３９】
次に、フロントカバー３０のリアカバー２０への取り外し方法について説明する。
まず、図５に示す凹み３５０とピン４０Ａの円板部４２Ａとの間にマイナスドライバーの先端を差し込み、マイナスドライバーの先端で、円板部４２Ａを−Ｚ側へ押す。これにより、ピン４０Ａの軸部４１Ａが第一貫通孔２５の＋Ｚ開口の壁部に押し付けられ、第一貫通孔２５に挿通可能な形状に弾性変形する。その結果、ピン４０Ａの軸部４１Ａは、第一貫通孔２５と、−Ｚ側に連続する第二貫通孔３５と、を通過し、ピン４０Ａは、第一貫通孔２５と第二貫通孔３５から抜ける。
【００４０】
ピン４０Ａを抜いた後、マイナスドライバーの先端を図４に示す隙間Ｓ１に差し込む。そして、マイナスドライバーの先端で、係止片２２Ｌを＋Ｚ側へ押し上げながら、下壁部３３の＋Ｘ端を−Ｘ側へ押す。係止片２２Ｌは、弾性変形して＋Ｚ方向へ傾く。これにより、係止用凸部２４Ｌが係止用凹部３４Ｌから外れる。係止片２２Ｒも同様にして、係止用凸部２４Ｒを係止用凹部３４Ｒから外す。
【００４１】
続いて、図６に示すフック部３２Ｌと、図６に示さないフック部３２Ｒと、を中心にして、フロントカバー３０の下壁部３３側を−Ｘ側へ回転させる。これにより、下壁部３３と係止片２２Ｒ、２２ＬとがＺ方向に重ならないようにする。その状態で、フロントカバー３０を＋Ｚ側へ移動させて、フック部３２Ｌを壁５００とフック用凹部２１Ｌとのポケット状の隙間から外す。フック部３２Ｒも同様にフック用凹部２１Ｒのポケット状の隙間から外す。以上の工程で、フロントカバー３０がリアカバー２０から取り外される。
【００４２】
以上のように、実施の形態１に係るコントローラ１は、フロントカバー３０の上壁部３１に設けられたフック部３２Ｒ、３２Ｌと、リアカバー２０の−Ｚ端に設けられた係止片２２Ｒ、２２Ｌと、を備えている。フック部３２Ｒ、３２Ｌは、リアカバー２０の＋Ｚ端のフック用凹部２１Ｒ、２１Ｌに引っ掛け可能である。また、係止片２２Ｒ、２２Ｌは、フロントカバー３０の下壁部３３に係止する。コントローラ１では、フック部３２Ｒ、３２Ｌをフック用凹部２１Ｒ、２１Ｌに引っ掛け、係止片２２Ｒ、２２Ｌを下壁部３３に係止させることで、フロントカバー３０をリアカバー２０に取り付けることができる。このため、フロントカバー３０の取り付けが容易である。また、フック部３２Ｒ、３２Ｌをフック用凹部２１Ｒ、２１Ｌから外し、係止片２２Ｒ、２２Ｌを、下壁部３３から外すことで、フロントカバー３０をリアカバー２０から取り外すことができるので、フロントカバー３０の取り外しが容易である。
【００４３】
コントローラ１では、突出片２３に形成された第一貫通孔２５及び、下壁部３３に形成された第二貫通孔３５にピン４０Ａの軸部４１Ａが挿通されている。このため、フロントカバー３０をリアカバー２０に確実に固定することができる。また、第一貫通孔２５及び第二貫通孔３５に軸部４１Ａを挿通させるだけで固定できるため、取り付け作業に工具が不要であり、取り付け作業は容易である。
【００４４】
フロントカバー３０の上壁部３１がリアカバー２０の＋Ｚ端に上から被さり、フロントカバー３０の下壁部３３がリアカバー２０の−Ｚ端を下から覆っている。このため、外部から、フック部３２Ｒ、３２Ｌ及び係止片２２Ｒ、２２Ｌを視認できない。その結果、フロントカバー３０とリアカバー２０の構造を知らない第三者がフロントカバー３０をリアカバー２０から外してしまうトラブル、いたずら等を防止することができる。
なお、実施の形態１では、リアカバー２０の−Ｚ端が人の眼の高さより−Ｚ側となる設置箇所に、コントローラ１を設置することを想定している。このような設置箇所であれば、ピン４０Ａの円板部４２Ａの位置がわかりにくい。このため、上述した第三者のフロントカバー３０の取り外しによるトラブル、いたずら等を防止することができる。また、コントローラ１のデザイン性を高めることもできる。
【００４５】
（実施の形態２）
実施の形態２に係る電気機器は、＋Ｚ端にピン係止部が形成されたピンを備えるコントローラである。以下に、図９及び図１０を参照して実施の形態２に係るコントローラの構成を説明する。実施の形態２では、実施の形態１と異なる構成について説明する。
【００４６】
図９は、実施の形態２に係るコントローラ１の部品構成図である。なお、図９はコントローラ１を壁５００に固定していない状態を示している。また、図９では、理解を容易にするため、リアカバー２０及びフロントカバー３０の−Ｚ側の一部だけを図示している。
図９に示すように、実施の形態２に係るコントローラ１では、ピン４０Ｂの＋Ｚ端にドーナツ形状のピン係止部４１２Ｂが設けられている。
【００４７】
ピン係止部４１２Ｂは、内周が中空部４１０Ｂに連続し、外周が軸部４１Ｂの外径よりも大きいドーナツ形状に形成されている。ピン係止部４１２Ｂの外周は、第一貫通孔２５及び第二貫通孔３５よりも大きい径を有している。
【００４８】
ピン係止部４１２Ｂは、第一貫通孔２５及び第二貫通孔３５に挿入できる外径を有する形状に変形できるようにするため、弾性変形する材料で形成されている。また、ピン係止部４１２Ｂには、弾性変形を容易にするため、＋Ｚ端から軸部４１ＢのＺ方向中央まで延在するピンスリット４１１Ｂが４つ形成されている。４つのピンスリット４１１Ｂはピン係止部４１２Ｂの内周部及び外周部を四等分している。
【００４９】
一方、ピン係止部４１２Ｂを挿入、抜出される第二貫通孔３５には、ピン係止部４１２Ｂの挿入を容易にするため、図示しないテーパー部が−Ｚ側の開口に形成されている。第一貫通孔２５には、図示しないテーパー部が＋Ｚ側の開口と−Ｚ側の開口とに形成されている。そして、第一貫通孔２５は、ピン係止部４１２Ｂを容易に挿入できるようにするため、第二貫通孔３５よりも径が大きい。
なお、ピン係止部４１２Ｂの挿入、抜出の際に、ピン係止部４１２Ｂが第二貫通孔３５に弾性変形の復元力で係止させるために、第二貫通孔３５と第一貫通孔２５が隔てられて配置されている。詳細には、下壁部３３と係止片２２Ｒ、２２Ｌは、ピン係止部４１２ＢのＺ方向の大きさだけ離れて配置されている。これにより、第二貫通孔３５では、ピン係止部４１２Ｂの挿入、抜出の際にピン４０Ｂが脱落したりピン４０Ｂを紛失したりすることが防止されている。
【００５０】
次に、図１０（Ａ）−（Ｃ）を参照してフロントカバー３０をリアカバー２０に固定するときのピン４０Ｂの取り付け工程について説明する。
【００５１】
図１０（Ａ）は（Ａ）ピン４０Ｂの取り付け工程において、ピン係止部４１２Ｂがフロントカバー３０の第二貫通孔３５に挿入された状態における下壁部３３及びピン４０Ｂの断面図である。図１０（Ｂ）はピン係止部４１２Ｂがリアカバー２０の第一貫通孔２５の開口に位置する状態における下壁部３３及びピン４０Ｂの断面図である。図１０（Ｃ）はピン係止部４１２Ｂが第一貫通孔２５を通過し、軸部４１Ｂが第一貫通孔２５に挿通された状態における下壁部３３及びピン４０Ｂの断面図である。
まず、ピン４０Ｂの円板部４２Ｂを把持して、ピン係止部４１２Ｂを第二貫通孔３５の−Ｚ側開口に当接させる。その後、ピン係止部４１２Ｂを＋Ｚ方向へ押し込む。ピン係止部４１２Ｂの＋Ｚ側の外周部は、＋Ｚ側に向かうに従って内側へ曲がっている。さらに、第二貫通孔３５の−Ｚ側開口は、＋Ｚ側に向かうに従って内側へ傾くテーパー部を有している。このため、ピン係止部４１２Ｂは＋Ｚ方向へ押し込まれるに従い、弾性変形して外径が小さくなる。これにより、図１０（Ａ）に示すように、ピン係止部４１２Ｂが第二貫通孔３５に挿入される。
【００５２】
さらにピン係止部４１２Ｂを＋Ｚ方向へ押し込むと、ピン係止部４１２Ｂは、第二貫通孔３５を通過する。ピン係止部４１２Ｂは、弾性変形からの復元力で、第二貫通孔３５に係止した状態になる。その状態のまま、円板部４２Ｂを＋Ｚ方向へ押すと、図１０（Ｂ）に示すように、ピン係止部４１２Ｂは、第一貫通孔２５の−Ｚ側開口のテーパー部に当接する。このテーパー部も＋Ｚ側に向かうに従って内側へ傾くため、ピン係止部４１２Ｂは、弾性変形する。その結果、ピン係止部４１２Ｂの外径が小さくなる。
【００５３】
その後、ピン係止部４１２Ｂを＋Ｚ方向へ押し込むと、図１０（Ｃ）に示すように、ピン係止部４１２Ｂが第一貫通孔２５を通過する。第一貫通孔２５の＋Ｚ側開口には、＋Ｚ側に向かうに従って外側に傾くテーパー部が形成されているため、ピン係止部４１２Ｂは、弾性変形した状態から復元力で元の外径を有する状態に戻る。その結果、ピン係止部４１２Ｂが第一貫通孔２５の＋Ｚ側開口に係止し、フロントカバー３０がリアカバー２０に固定される。以上の工程により、ピン４０Ｂの取り付け工程が終了する。
【００５４】
次に、図１０（Ｄ）を参照して、フロントカバー３０をリアカバー２０から外すときのピン４０Ｂの取り外し工程について説明する。
【００５５】
図１０（Ｄ）はピン４０Ｂの取り外し工程において、ピン係止部４１２Ｂが第一貫通孔２５から引き抜かれた状態における下壁部３３及びピン４０Ｂの断面図である。
ピン４０Ｂの円板部４２Ｂを把持して、軸部４１Ｂを−Ｚ方向へ引っ張る。ピン係止部４１２Ｂの−Ｚ側の外周部は、−Ｚ側に向かうに従って内側へ曲がっている。さらに、第一貫通孔２５の＋Ｚ側開口のテーパー部は、−Ｚ側に向かうに従って内側へ傾いている。このため、ピン係止部４１２Ｂは、第一貫通孔２５の＋Ｚ側開口のテーパー部によって弾性変形する。これにより、ピン係止部４１２Ｂの外径が小さくなる。その結果、図１０（Ｄ）に示すように、ピン４０Ｂが第一貫通孔２５から抜かれる。
【００５６】
さらに、軸部４１Ｂを−Ｚ方向へ移動させると、ピン係止部４１２Ｂの−Ｚ側の外周部が−Ｚ側に向かうに従って内側へ曲がっているので、ピン係止部４１２Ｂは、第二貫通孔３５の＋Ｚ側の開口へ挿入される。その結果、ピン係止部４１２Ｂは弾性変形する。そして、ピン係止部４１２Ｂの外径が小さくなり、ピン４０Ｂが第二貫通孔３５から抜ける。以上の工程により、ピン４０Ｂの取り外し工程が終了する。
【００５７】
以上のように、実施の形態２に係るコントローラ１では、ピン４０Ｂの＋Ｚ端に、ドーナツ形に形成され、弾性変形可能なピン係止部４１２Ｂが設けられている。このため、ピン４０Ｂを第一貫通孔２５及び第二貫通孔３５に挿入又は抜出する際に、ピン係止部４１２Ｂが第一貫通孔２５及び第二貫通孔３５の内壁に沿って弾性変形する。その結果、ピン４０Ｂの取り付け、取り外しが容易である。
【００５８】
（実施の形態３）
実施の形態３に係る電気機器は、鍵部が＋Ｚ端に形成されたピンを備えるコントローラである。このコントローラには、鈎部が挿入可能な第一スリットがリアカバーの突出片に形成され、鈎部が挿入可能な第二スリットがフロントカバーの下壁部に形成されている。以下に、図１１−図１３を参照して実施の形態３に係るコントローラの構成を説明する。実施の形態３では、実施の形態１及び２と異なる構成について説明する。
【００５９】
図１１は実施の形態３に係るコントローラの部品構成図である。なお、図１１は、図９と同様に、リアカバー２０及びフロントカバー３０の−Ｚ側の一部だけを図示している。
図１１に示すように、ピン４０Ｃは、軸部４１Ｃの軸と直交する方向に延在する鈎部４１３Ｃを有している。なお、図１１では、Ｚ方向に向けられた軸部４１Ｃに対して、鈎部４１３Ｃが−Ｘ方向へ延在している。
【００６０】
鈎部４１３Ｃは矩形板状に形成されている。図１１では、鈎部４１３Ｃの長辺がＺ方向、短辺がＸ方向に向くように配置されている。
なお、軸部４１Ｃは、ピンスリット４１１Ｃを有し、弾性変形可能な材料で形成されている。これらの形状、大きさは実施の形態１及び２と同様である。
【００６１】
これに対して、突出片２３には、鈎部４１３Ｃが挿入できる第一スリット２６が形成されている。また、フロントカバー３０の下壁部３３には、鈎部４１３Ｃが挿入できる第二スリット３８が形成されている。
【００６２】
第一スリット２６は、鈎部４１３Ｃが軸部４１Ｃに対して＋Ｙ方向に向けられた場合と−Ｙ方向へ向けられた場合との両方で、鈎部４１３Ｃを挿入できるようにするため、第一貫通孔２５の中心から＋Ｙ方向及び−Ｙ方向へ延在している。第一スリット２６の＋Ｙ側の長さと、−Ｙ側の長さは、鈎部４１３Ｃの短辺の長さと同じに形成されている。また、第一スリット２６の幅は、鈎部４１３Ｃの厚みと同じである。
【００６３】
一方、第二スリット３８は、鈎部４１３Ｃが軸部４１Ｃに対して＋Ｘ方向に向けられた場合と−Ｘ方向へ向けられた場合との両方で、鈎部４１３Ｃを挿入できるようにするため、第二貫通孔３５の中心から＋Ｘ方向及び−Ｘ方向へ延在している。第二スリット３８の長さ、幅は、第一スリット２６と同じである。
なお、第一スリット２６と第二スリット３８とは、Ｚ方向視で同形状に形成されると共に、Ｚ方向視でピン４０Ｃの軸に対して回転対称に形成されるとよい。
【００６４】
上記のように、第一スリット２６と第二スリット３８とは、スリットが延在する方向が異なっている。このため、軸部４１Ｃと鈎部４１３Ｃを、第二貫通孔３５と第二スリット３８に挿入した後、第一貫通孔２５と第一スリット２６に挿入するときに、軸部４１Ｃに対する鈎部４１３Ｃの向きを変える必要がある。
【００６５】
そこで、実施の形態３では、フロントカバー３０をリアカバー２０に取り付けたときの、突出片２３と下壁部３３との間に鈎部４１３Ｃの向きを変える空間を設けている。詳細には、突出片２３の−Ｚ側の面から、フロントカバー３０をリアカバー２０に取り付けた場合における下壁部３３の＋Ｚ側の面までの距離を距離Ｌ１とした場合に、距離Ｌ１が、鈎部４１３Ｃの＋Ｚ端から−Ｚ端までの距離Ｌ２よりも大きく形成されている。
なお、軸部４１Ｃの−Ｚ端から鈎部４１３Ｃの−Ｚ端までの距離Ｌ３は、距離Ｌ１と突出片２３の厚み（Ｚ方向の大きさ）と下壁部３３の厚みとの和よりも大きい。
【００６６】
また、フロントカバー３０の取り付け後、フロントカバー３０内の第一スリット２６の延在方向を視認できないため、下壁部３３の−Ｚ側の第二貫通孔３５の周縁近傍には、第一スリット２６の延在方向を示すスリット目印３３２Ｒ、３３２Ｌが形成されている。円板部４２Ｃにも、鈎部４１３Ｃの延在方向を示す鈎目印４２０Ｃが形成されている。
【００６７】
スリット目印３３２Ｒ、３３２Ｌは、正三角形状に形成されている。そして、正三角形の一頂点が、第二貫通孔３５に向けられて配置されている。この一頂点が、第一スリット２６の延在方向を表示している。スリット目印３３２Ｒは、第一スリット２６の＋Ｙ方向へ延在する部分、スリット目印３３２Ｌは、第一スリット２６の−Ｙ方向へ延在する部分、の位置を表示している。
【００６８】
鈎目印４２０Ｃも正三角形状に形成されている。軸部４１Ｃと反対側に向けられた正三角形の一頂点が、鈎部４１３Ｃが軸部４１Ｃに対して延在する方向を表示している。
【００６９】
なお、実施の形態３では、リアカバー２０の−Ｚ端が人の眼の高さより−Ｚ側となる設置箇所にコントローラ１を設置することを想定している。この場合、ピン４０Ｃの円板部４２Ｃを−Ｚ側、軸部４１Ｃを＋Ｚ側に向けて、ピン４０Ｃを取り付ける。そこで、鈎目印４２０Ｃを見えやすくするため、鈎目印４２０Ｃは、円板部４２Ｃの軸部４１Ｃ側（図１１では＋Ｚ側）に設けられている。
【００７０】
次に、図１２及び図１３を参照して、フロントカバー３０をリアカバー２０に取り付けるときのピン４０Ｃの取り付け工程について説明する。
【００７１】
図１２（Ａ）は、ピン４０Ｃの取り付け工程において、ピン４０Ｃが第二貫通孔３５と第二スリット３８とに挿入されるときの鈎目印４２０Ｃとスリット目印３３２Ｒ、３３２Ｌとの位置関係を示す底面図である。図１２（Ｂ）はピン４０Ｃが第一貫通孔２５と第一スリット２６とに挿入されるときの鈎目印４２０Ｃとスリット目印３３２Ｒ、３３２Ｌとの位置関係を示す底面図である。図１３（Ａ）は、図１２（Ａ）に示すXIIIA切断線の断面図である。図１３（Ｂ）は図１２（Ｂ）に示すXIIIB切断線の断面図である。図１３（Ｃ）は、ピンの取り付け工程において、ピン４０Ｃの鈎部４１３Ｃがリアカバー２０の第一スリット２６を通過した状態における下壁部３３及びピン４０Ｃの断面図である。図１３（Ｄ）はピン４０Ｃの鈎部４１３Ｃがリアカバー２０の第一スリット２６を通過した後、円板部４２Ｃを回転させて軸部４１Ｃに対する鈎部４１３Ｃの向きが変化した状態における下壁部３３及びピン４０Ｃの断面図である。
なお、図１３（Ｃ）は、図１３（Ｂ）と同じ切断線の断面図、図１３（Ｄ）は図１３（Ａ）と同じ切断線の断面図である。
【００７２】
まず、円板部４２Ｃを把持して、軸部４１Ｃを第二貫通孔３５の−Ｚ側に配置する。そして、軸部４１ＣをＺ方向に向け、さらに、円板部４２Ｃの鈎目印４２０Ｃを、第二スリット３８の延在方向へ向ける。その状態で、軸部４１Ｃと鈎部４１３Ｃとを、第二貫通孔３５と第二スリット３８とに挿入する。続けて、円板部４２Ｃを＋Ｚ側へ移動させる。その結果、鈎部４１３Ｃが第二スリット３８を通過する。
【００７３】
次に、軸部４１Ｃの軸を回転中心にして把持した円板部４２Ｃを回転させ、鈎目印４２０Ｃをスリット目印３３２Ｌ又は３３２Ｒに対向させる。図１２（Ｂ）及び図１３（Ｂ）では、鈎目印４２０Ｃをスリット目印３３２Ｌに対向させている。このとき、鈎部４１３Ｃは第一スリット２６に挿入可能な向きに回転している。そして、その状態で、円板部４２Ｃを＋Ｚ側へ移動させる。これにより、軸部４１Ｃと鈎部４１３Ｃが、第一貫通孔２５と第一スリット２６に挿入される。さらに、円板部４２Ｃを＋Ｚ側へ移動させることで、鈎部４１３Ｃが、図１３（Ｃ）に示すように、第一スリット２６を通過する。
【００７４】
その後、軸部４１Ｃの軸を回転中心にして把持した円板部４２Ｃを回転させ、図１３（Ｄ）に示すように、鈎目印４２０Ｃをスリット目印３３２Ｌ又は３３２Ｒに対向しない位置に移動させる。これにより、鈎部４１３Ｃが第一スリット２６を通過できない位置に移動し、ピン４０Ｃが−Ｚ方向へ脱落しない。
【００７５】
フロントカバー３０をリアカバー２０から取り外す場合、上記と逆の手順でピン４０Ｃを取り外す。なお、ピン４０Ｃの取り外し工程でピン４０Ｃの紛失を防止するため、鈎部４１３Ｃを第一スリット２６に通した後に、鈎部４１３Ｃの向きをそのままにするとよい。すなわち、円板部４２Ｃを回転させないようにするとよい。ピン４０Ｃが下壁部３３に引っかかり−Ｚ方向へ脱落しない。
【００７６】
以上のように、実施の形態３に係るコントローラ１では、ピン４０Ｃが軸部４１Ｃと直交する方向に延在する鈎部４１３Ｃを有している。一方、突出片２３は、第一貫通孔２５から延在し、鈎部４１３Ｃが挿入可能な第一スリット２６を有している。鈎部４１３Ｃは、第一スリット２６を通された後、軸部４１Ｃを回転させることで、第一スリット２６に対する位置を変えることができる。コントローラ１では、鈎部４１３Ｃを第一スリット２６とＺ方向に重なり合わない位置へ移動させることで、フロントカバー３０をリアカバー２０に確実に固定することができる。
【００７７】
コントローラ１では、下壁部３３に、第二貫通孔３５から延在し、鈎部４１３Ｃが挿入可能な第二スリット３８が形成されている。そして、第二スリット３８が延在する方向と、第一スリット２６が延在する方向と、が異なっている。このため、第一スリット２６及び第二スリット３８の配置を知らない第三者がフロントカバー３０を外すトラブルやいたずら等を防止することができる。
【００７８】
また、ピン４０Ｃに鈎目印４２０Ｃが形成され、下壁部３３にスリット目印３３２Ｌ、及び３３２Ｒが形成されている。このため、鈎部４１３Ｃの軸部４１Ｃに対する向きと、第一スリット２６の第一貫通孔２５に対する向きとの位置関係を容易に確認することができる。その結果、ピン４０Ｃの取り付け、取り外しが容易である。
【００７９】
（実施の形態４）
実施の形態４に係る電気機器は、横断面楕円形のピン頭部を有するピンを備えるコントローラである。このコントローラでは、第一貫通孔及び第二貫通孔が横断面楕円状に形成されている。以下に、図１４を参照して実施の形態４に係るコントローラの構成を説明する。実施の形態４では、実施の形態１−３と異なる構成について説明する。
【００８０】
図１４は、実施の形態４に係るコントローラの部品構成図である。なお、図１４では、図９及び図１１と同様に、リアカバー２０及びフロントカバー３０の−Ｚ側の一部だけを図示している。
図１４に示すように、ピン４０Ｄは、軸部４１Ｄの＋Ｚ側に、横断面楕円形のピン頭部４１４Ｄを有している。ピン頭部４１４Ｄの＋Ｚ端は、第一貫通孔２５及び第二貫通孔３５への挿入を容易にするため、＋Ｚ方向に向かって径がやや小さくなっている。また、ピン頭部４１４Ｄは、弾性変形可能な材料で形成され、かつ＋Ｚ端から−Ｚ方向へ延在する中空部４１０Ｄを有する。そして、＋Ｚ端から軸部４１Ｄまで延在するピンスリット４１１Ｄが形成されている。
【００８１】
これに対して、第一貫通孔２５及び第二貫通孔３５は、ピン頭部４１４Ｄと横断面が同じ楕円形状に形成されている。この楕円形の大きさは、ピン頭部４１４Ｄの横断面の楕円形よりもやや小さい。そして、第一貫通孔２５は、長径の方向がＸ方向、短径の方向がＹ方向に向けられている。一方、第二貫通孔３５は、長径の方向がＹ方向、短径の方向がＸ方向に向けられている。
【００８２】
上記のように、第一貫通孔２５と第二貫通孔３５とは、長径の向きが異なっている。このため、ピン頭部４１４Ｄを第二貫通孔３５に挿入した後、ピン頭部４１４Ｄを第一貫通孔２５に挿入するときに、ピン頭部４１４Ｄの向きを変える必要がある。
【００８３】
そこで、突出片２３は、フロントカバー３０をリアカバー２０に取り付けたときの下壁部３３の位置から隔てられている。
詳細には、突出片２３の＋Ｚ側の面から、フロントカバー３０をリアカバー２０に取り付けた場合における下壁部３３の−Ｚ側の面までの距離を距離Ｌ１とした場合に、距離Ｌ１が、ピン頭部４１４Ｄの＋Ｚ端から−Ｚ端までの距離Ｌ２よりも大きく形成されている。
なお、ピン４０Ｄの軸部４１Ｄの−Ｚ端からピン頭部４１４Ｄの−Ｚ端までの距離Ｌ３は、距離Ｌ１と突出片２３の厚み（Ｚ方向の大きさ）と下壁部３３の厚みとの和よりも大きい。
【００８４】
ピン４０Ｄの取り付けと取り外しは、実施の形態３の場合と同様に、円板部４２Ｄを把持し、軸部４１Ｄの軸を回転中心にして円板部４２Ｄを回転させながら行う。すなわち、ピン頭部４１４Ｄの横断面における長径の向きを、第一貫通孔２５及び第二貫通孔３５の横断面における長径の向きに一致させて、ピン４０Ｄの挿入、抜出を行う。
【００８５】
なお、ピン頭部４１４Ｄが第二貫通孔３を通過した後、かつ第一貫通孔２５を通過していない状態で、軸部４１Ｄの軸を回転中心にして円板部４２Ｄを回転させて、ピン頭部４１４Ｄの横断面における長径の向きを、第二貫通孔３５の横断面における長径の向きと異なる向きに変えるとよい。これにより、ピン頭部４１４Ｄが第二貫通孔３５を通過できない状態になり、ピン４０Ｄが下壁部３３から脱落することを防止することができる。また、ピン頭部４１４Ｄが第一貫通孔２５を通過した状態で、軸部４１Ｄの軸を回転中心にして円板部４２Ｄを回転させて、ピン頭部４１４Ｄの横断面における長径の向きを、第一貫通孔２５の横断面における長径の向きと異なる向きに変えるとよい。これにより、ピン頭部４１４Ｄが第一貫通孔２５を通過できない状態になり、ピン４０Ｄが突出片２３から脱落することを防止することができる。その結果、ピン４０Ｄが下壁部３３と突出片２３とに留められた状態を維持することができる。
【００８６】
以上のように、実施の形態４に係るコントローラ１では、ピン頭部４１４Ｄの横断面における長径の向きを、第一貫通孔２５の横断面における長径の向きと一致させてピン頭部４１４Ｄを第一貫通孔２５に挿通させた後、ピン頭部４１４Ｄの横断面における長径の向きを変えることで、フロントカバー３０をリアカバー２０に確実に固定することができる。
【００８７】
コントローラ１では、第一貫通孔２５の横断面における長径と、第二貫通孔３５の横断面における長径とがＺ方向視で直交している。このため、第一貫通孔２５と第二貫通孔３５の長径の配置を知らない第三者がフロントカバー３０を外すトラブル、いたずら等を防止することができる。
【００８８】
（実施の形態５）
実施の形態５に係る電気機器は、フロントカバーの下端に遮蔽壁部が形成されたコントローラである。以下に、図１５を参照して実施の形態５に係るコントローラの構成を説明する。実施の形態５では、実施の形態１−４と異なる構成について説明する。
【００８９】
図１５は、実施の形態５に係るコントローラの下部の断面図である。
図１５に示すように、フロントカバー３０には、下壁部３３の−Ｘ端から−Ｚ方向に延在する遮蔽壁部３９が形成されている。遮蔽壁部３９のＺ方向の高さは、ピン４０Ａの円板部４２Ａの厚さよりも大きい。
【００９０】
実施の形態５では、コントローラ１は、リアカバー２０の−Ｚ端が人の眼の高さより−Ｚ側となる（すなわち低くなる）設置箇所に設置される。この場合、遮蔽壁部３９によって、ピン４０Ａが−Ｘ側（すなわちフロント側）から見えない。従って、実施の形態５に係るコントローラでは、ピン４０Ａの配置を知らない第三者がピン４０Ａの位置を確認することが難しい。その結果、そのような第三者がフロントカバー３０を外すトラブルやいたずら等を防止することができる。
【００９１】
以上、本発明の実施の形態を説明したが、本発明は上記の実施の形態に限定されるものではない。例えば、実施の形態１−５では、リアカバー２０の−Ｚ端が人の眼の高さより−Ｚ側となる設置箇所に、コントローラ１が設置されることを想定していた。しかし、本発明はこれに限定されない。リアカバー２０の＋Ｚ端、すなわち、上端が人の眼の高さよりも上となる位置にリアカバー２０が固定されてもよい。この場合、第二貫通孔３５は、上壁部３１に形成されるとよい。
【００９２】
図１６は、上壁部の変形例を示す斜視図である。図１６に示すように、第二貫通孔３５が上壁部３１に形成され、その第二貫通孔３５にピン４０Ａが挿入されて留められてもよい。この場合、上壁部３１が人の眼の高さよりも上となるため、ピン４０Ａの配置を知らない第三者がフロントカバー３０を外すトラブルやいたずらを防止することができる。また、コントローラ１のデザイン性を高めることもできる。
【００９３】
実施の形態１−５では、第二貫通孔３５に矩形状の凹み３５０が隣接していた。しかし、本発明はこれに限定されない。凹み３５０は、下壁部３３に凹み３５０が形成される場合、第二貫通孔３５の近傍で、円板部４２Ａ−４２Ｄとの間に空間が形成されていればよい。その空間にマイナスドライバーや爪等を差し込んで円板部４２Ａ−４２Ｄを下壁部３３から離すことで、容易にピン４０Ａ−４０Ｄを外すことができるからである。この場合、凹み３５０は、矩形状以外の形状に形成されてもよい。例えば、円形状、扇状に形成されてもよい。凹み３５０は、円板部４２Ａ−４２Ｄの−Ｘ側、すなわち、フロント側の周縁に形成されているとよい。
【００９４】
図１７（Ａ）は、凹みの変形例を示す底面図、図１７（Ｂ）は、凹みの変形例を示す断面図である。図１７（Ａ）及び図１７（Ｂ）に示すように、凹み３５０は、円板部４２Ａの円中心を中心とした扇状に形成されてもよい。このような形状であれば、ピン４０Ａを外すときに、マイナスドライバーや爪等を差し込みやすい。また、凹み３５０は、円板部４２Ａのフロント側の周縁、換言すると、リア側を除く円板部４２Ａの周縁に形成されてもよい。この場合、フロント側、すなわち、リアカバー２０が設置された側と反対側から、凹み３５０にマイナスドライバーや爪等を差し込んで、ピン４０Ａを外すことができる。
【００９５】
上記実施の形態１−５では、フック部３２Ｒ、３２Ｌが上壁部３１に設けられ、係止片２２Ｒ、２２Ｌがリアカバー２０の下端に設けられていた。しかし、本発明はこれに限定されない。リアカバー２０が第一端部及び第一端部と上下に対向する第二端部を有し、フロントカバー３０が第一壁部及び該第一壁部と対向する第二壁部を有する場合に、フック部は、第一壁部に設けられ、第一端部に引っ掛け可能であればよい。そして、係止部は、第二端部に設けられ、第二壁部に係止する又は、第二壁部に設けられ、第二端部に係止すればよい。ここで、実施の形態１−５のリアカバー２０の＋Ｚ端及び−Ｚ端のいずれか一方が本発明の第一端部に相当し、いずれか他方が本発明の第二端部に相当する。また、実施の形態１−５の上壁部３１及び下壁部３３のいずれか一方が本発明の第一壁部、いずれか他方が本発明の第二壁部に相当する。実施の形態１−５の係止片２２Ｒ、２２Ｌが上述した係止部に相当する。
従って、フック部３２Ｒ、３２Ｌは、上壁部３１又は下壁部３３に設けられていればよい。フック部３２Ｒ、３２Ｌが上壁部３１に設けられている場合、係止片２２Ｒ、２２Ｌはリアカバー２０の下端に設けられるとよい。フック部３２Ｒ、３２Ｌが下壁部３３に設けられている場合、係止片２２Ｒ、２２Ｌはリアカバー２０の上端に設けられるとよい。
【００９６】
図１８は、下壁部３３の変形例を示す断面図である。図１９は、係止片２２Ｌの変形例を示す断面図である。
図１８に示すように、下壁部３３に形成されたフック部３２Ｌが、リアカバー２０の−Ｚ端に形成されたフック用凹部２１Ｌに引っ掛けられもよい。また、図１９に示すように、上壁部３１に形成された係止用凹部３４Ｌに、リアカバー２０の＋Ｚ端に形成された係止片２２Ｌの係止用凸部２４Ｌが係止してもよい。このような形態でも、容易かつ確実にフロントカバー３０を取り付けることができる。
【００９７】
実施の形態１−５では、凸部が凹部に係って止まることを係止すると説明したが、凹部の壁部が凸部の壁部に係止してもよい。このような形態でも、フロントカバー３０をリアカバー２０に固定することができる。従って、凸部、凹部のいずれの形状を有する構造物が係止部、被係止部であってもよい。
【００９８】
図２０は、係止片の変形例を示す断面図である。図２０に示すように、係止片２２Ｒ、２２Ｌに、係止用凹部２４１Ｌが形成されてもよい。この場合、下壁部３３に係止用凸部３４１Ｌが形成されてよい。
なお、本発明では、係止部は１つ以上設けられていればよい。また係止部を有していればよいので、係止片２２Ｒ、２２Ｌは板状部材に限られず、例えば、柱状部材、突起状部材であってもよい。
【００９９】
上記実施の形態１−５では、係止片２２Ｒ、２２Ｌと突出片２３とが別々に設けられていた。しかし、本発明はこれに限定されない。係止部と突出部とを備えていればよいため、突出片２３は、突出部と係止部とを兼ねてもよい。ここで、実施の形態１−５では、突出片２３が本発明の突出部に相当する。
【０１００】
図２１は、突出片の変形例を示す断面図である。図２１に示すように、突出片２３の先端に、下壁部３３の係止用凹部３４２に係止する係止用凸部２４２が形成されてもよい。この場合、突出片２３は、弾性変形可能な材料で形成されるとよい。
【０１０１】
上記実施の形態１−５では、ピン４０Ａ−４０Ｄがいわゆるリベット状であった。しかし、本発明はこれに限定されない。ピン４０Ａ−４０Ｄは、第一貫通孔２５と、第二貫通孔３５と、に挿通されるものであればよい。このため、円板部４２Ａ−４２Ｄを有していなくてもよい。円板部４２Ａ−４２Ｄに替えて、球状の把持部を有していてもよい。また、軸部４１Ａ−４１Ｄが角柱状であってもよい。
なお、上記実施の形態１−５では、リベット状と称したが、リベット状とは、先端を押しつぶしていない状態のリベットの形状、すなわち使用前のリベットの形状のことである。
【０１０２】
上記実施の形態１−５では、電気機器がコントローラ１であった。しかし、本発明はこれに限定されない。本発明は、コントローラ１以外の電気機器に適用可能である。例えば、ドアフォン、配電盤等に適用してもよい。また、本発明が適用される電気機器は、フロントカバー３０をリアカバー２０に取り付けるため、リアカバー２０が設置対象物に固定されることが望ましい。設置対象物は、壁５００のほか、建築物の柱であってもよい。
【符号の説明】
【０１０３】
１  コントローラ、１０  ディスプレイ、２０  リアカバー、２１Ｒ、２１Ｌ  フック用凹部、２２Ｒ、２２Ｌ  係止片、２３  突出片、２５  第一貫通孔、２６  第一スリット、２４Ｒ、２４Ｌ  係止用凸部、３０  フロントカバー、３１  上壁部、３２Ｒ、３２Ｌ  フック部、３３  下壁部、３４Ｒ、３４Ｌ  係止用凹部、３５  第二貫通孔、３６Ｒ、３６Ｌ  切り欠き部、３８  第二スリット、３９  遮蔽壁部、４０Ａ−４０Ｄ  ピン、４１Ａ−４１Ｄ  軸部、４２Ａ−４２Ｄ  円板部、２４１Ｌ  係止用凹部、２４２  係止用凸部、３２０Ｌ  フック部、３３０  面取り部、３３２Ｌ、３３２Ｒ  スリット目印、３４１Ｌ  係止用凸部、３４２  係止用凹部、３５０  凹み、４１０Ａ−４１０Ｄ  中空部、４１１Ａ−４１１Ｄ  ピンスリット、４１２Ｂ  ピン係止部、４１３Ｃ  鈎部、４１４Ｄ  ピン頭部、４２０Ｃ  鈎目印、５００  壁、６００Ａ−６００Ｄ  ネジ、Ｌ１−Ｌ３  距離、Ｓ１  隙間
【図１】
2018078176.tif 000003
【図２】
2018078176.tif 000004
【図３】
2018078176.tif 000005
【図４】
2018078176.tif 000006
【図５】
2018078176.tif 000007
【図６】
2018078176.tif 000008
【図７】
2018078176.tif 000009
【図８】
2018078176.tif 000010
【図９】
2018078176.tif 000011
【図１０】
2018078176.tif 000012
【図１１】
2018078176.tif 000013
【図１２】
2018078176.tif 000014
【図１３】
2018078176.tif 000015
【図１４】
2018078176.tif 000016
【図１５】
2018078176.tif 000017
【図１６】
2018078176.tif 000018
【図１７】
2018078176.tif 000019
【図１８】
2018078176.tif 000020
【図１９】
2018078176.tif 000021
【図２０】
2018078176.tif 000022
【図２１】
2018078176.tif 000023